(57)【特許請求の範囲】
【請求項１】
測定者の呼気が吹き込まれる呼気吹込部と、前記呼気吹込部に吹き込まれた前記呼気中のアルコール濃度を測定するアルコールセンサと、前記呼気吹込部に吹き込まれた前記呼気の強さを測定する呼気強さセンサと、前記呼気強さセンサによって測定された前記強さを音の変化によって出力する呼気強さ出力部とを備えており、
前記呼気強さ出力部は、前記アルコールセンサによる前記アルコール濃度の測定を有効にする前記強さの範囲である有効範囲内の前記強さの変化を音の変化によって出力し、
前記呼気強さ出力部は、前記有効範囲内における前記強さに対する音量の変化を、前記有効範囲内の所定の前記強さにおける音量を頂点とした山型および谷型の一方で表される変化にすることを特徴とするアルコール測定器。
【請求項２】
前記呼気強さ出力部は、前記有効範囲内における前記強さに対する音の周波数の変化を、前記有効範囲の両端の一方において最小であり、他方において最大であり、一方から他方に向けて徐々に上がる変化にすることを特徴とする請求項１に記載のアルコール測定器。
【請求項３】
前記呼気強さ出力部は、前記有効範囲外において音を消すことを特徴とする請求項１または請求項２に記載のアルコール測定器。
【請求項４】
前記呼気強さ出力部は、前記有効範囲より前記強さが弱い前記有効範囲外において音を消し、前記有効範囲より前記強さが強い前記有効範囲外において音を出力することを特徴とする請求項１または請求項２に記載のアルコール測定器。
【発明の詳細な説明】
【技術分野】
【０００１】
本発明は、測定者の呼気中のアルコール濃度を測定することができるアルコール測定器に関する。
【背景技術】
【０００２】
従来のアルコール測定器としては、測定時に測定者によって手で持たれる筐体と、筐体に設けられて測定者の呼気が吹き込まれるマウスピースと、マウスピースに吹き込まれた呼気中のアルコール濃度を測定するアルコールセンサと、マウスピースに吹き込まれた呼気の強さである風力を測定する風力センサと、筐体に設けられて測定者の呼気中のアルコール濃度の測定が正常に完了したことを示すＯＫランプとを備えており、風力センサによって測定された風力の有意な上昇が認められた場合に、風力センサによって測定された風力の有意な上昇が認められたタイミングでアルコールセンサによってアルコール濃度を測定してＯＫランプを点灯させ、風力センサによって測定された風力の有意な上昇が認められないなどの異常事態を検出した場合に、ＯＫランプを点滅させることによって測定者に対して再測定を指示するアルコール検査器が知られている（例えば、特許文献１参照。）。
【先行技術文献】
【特許文献】
【０００３】
【特許文献１】特開２００８−２３２７１０号公報
【発明の概要】
【発明が解決しようとする課題】
【０００４】
しかしながら、特許文献１に記載されているアルコール検査器は、マウスピースに呼気を吹き込んでいる最中の測定者から視認することができない位置にＯＫランプが配置されているので、アルコールセンサによるアルコール濃度の測定を有効にする呼気の強さの範囲内であるか否かを、マウスピースに呼気を吹き込んでいる最中の測定者に認識させることができない。
【０００５】
そのため、測定者は、アルコールセンサによるアルコール濃度の測定を有効にする範囲内に呼気の強さを維持することが困難である。その結果、測定者は、測定を一度で成功することができずに何度もやり直さなければならないこともある。例えば、警察の飲酒運転取り締まり用のアルコール測定器のように測定者が使い慣れていないアルコール測定器の場合には、測定者は、アルコールセンサによるアルコール濃度の測定を有効にする範囲内に呼気の強さを維持することがなおさら困難である。
【０００６】
そこで、本発明は、呼気を吹き込んでいる最中の測定者に呼気の強さを認識させることができるアルコール測定器を提供することを目的とする。
【課題を解決するための手段】
【０００７】
本発明のアルコール測定器は、測定者の呼気が吹き込まれる呼気吹込部と、前記呼気吹込部に吹き込まれた前記呼気中のアルコール濃度を測定するアルコールセンサと、前記呼気吹込部に吹き込まれた前記呼気の強さを測定する呼気強さセンサと、前記呼気強さセンサによって測定された前記強さを音の変化によって出力する呼気強さ出力部とを備えており、前記呼気強さ出力部は、前記アルコールセンサによる前記アルコール濃度の測定を有効にする前記強さの範囲である有効範囲内の前記強さの変化を音の変化によって出力することを特徴とする。
【０００８】
この構成により、本発明のアルコール測定器は、有効範囲内の呼気の強さの変化を音の変化によって出力するので、呼気を吹き込んでいる最中の測定者に呼気の強さを認識させることができる。
【０００９】
また、本発明のアルコール測定器の前記呼気強さ出力部は、前記有効範囲内における前記強さに対する音量の変化を、前記有効範囲内の所定の前記強さにおける音量を頂点とした山型および谷型の一方で表される変化にしても良い。
【００１０】
この構成により、本発明のアルコール測定器は、有効範囲内の所定の呼気の強さを音量によって測定者に容易に認識させることができるので、音量が変化の頂点になるように測定者に呼気の強さを調整させることによって、測定者に呼気の強さを有効範囲内に容易に維持させることができる。
【００１１】
また、本発明のアルコール測定器の前記呼気強さ出力部は、前記有効範囲内における前記強さに対する音の周波数の変化を、前記有効範囲の両端の一方において最小であり、他方において最大であり、一方から他方に向けて徐々に上がる変化にしても良い。
【００１２】
この構成により、本発明のアルコール測定器は、有効範囲内の所定の呼気の強さより現在の呼気の強さが大きいか小さいかを音量と音の周波数との組み合わせによって測定者に容易に認識させることができるので、音量が変化の頂点になるように測定者に呼気の強さを容易に調整させることができる。
【００１３】
また、本発明のアルコール測定器の前記呼気強さ出力部は、前記有効範囲外において音を消しても良い。
【００１４】
この構成により、本発明のアルコール測定器は、呼気の強さが有効範囲内であるか否かを測定者に容易に認識させることができる。
【００１５】
また、本発明のアルコール測定器の前記呼気強さ出力部は、前記有効範囲より前記強さが弱い前記有効範囲外において音を消し、前記有効範囲より前記強さが強い前記有効範囲外において音を出力しても良い。
【００１６】
この構成により、本発明のアルコール測定器は、呼気の強さが有効範囲より強い有効範囲外にあるときに音を消さずに出力するので、呼気を吹き込んでいる最中の測定者にアルコール測定器自身が故障していると誤解されることを防止することができる。
【発明の効果】
【００１７】
本発明のアルコール測定器は、呼気を吹き込んでいる最中の測定者に呼気の強さを認識させることができる。
【図面の簡単な説明】
【００１８】
【図１】本発明の一実施の形態に係るアルコール測定器の外観斜視図である。
【図２】図１に示すアルコール測定器のブロック図である。
【図３】図２に示す呼気圧センサによって測定された呼気圧と、基本信号が入力されたＡＭ変調器の出力信号の振幅との関係を示す図である。
【図４】図２に示す呼気圧センサによって測定された呼気圧と、基本信号が入力されたＦＭ変調器の出力信号の周波数との関係を示す図である。
【図５】図１に示すアルコール測定器の動作のフローチャートである。
【図６】測定者によって図１に示すマウスピースに吹き込まれた呼気の圧力の例を示す図である。
【図７】図６に示す例に応じたＡＭ変調器４０、ＦＭ変調器４１および合成器４２の出力信号を示す図である。
【図８】図２に示す呼気圧センサによって測定された呼気圧と、基本信号が入力されたＡＭ変調器の出力信号の振幅との関係の図３に示す例とは異なる例を示す図である。
【図９】図６に示す例に応じたＡＭ変調器４０、ＦＭ変調器４１および合成器４２の出力信号の図７に示す例とは異なる例を示す図である。
【発明を実施するための形態】
【００１９】
以下、本発明の一実施の形態について、図面を用いて説明する。
【００２０】
まず、本実施の形態に係るアルコール測定器の構成について説明する。
【００２１】
図１は、本実施の形態に係るアルコール測定器１０の外観斜視図である。
【００２２】
図１に示すように、アルコール測定器１０は、測定時に測定者９０によって手９１で持たれる筐体２１と、筐体２１に設けられて測定者９０に咥えられて呼気が吹き込まれる本発明の呼気吹込部としてのマウスピース２２と、マウスピース２２に吹き込まれた呼気中のアルコール濃度の測定を開始するためのスイッチ２３と、マウスピース２２に吹き込まれた呼気中のアルコール濃度を表示するアルコール濃度表示部２４と、マウスピース２２に吹き込まれた呼気の強さとして呼気の圧力である呼気圧を音の変化によって出力する本発明の呼気強さ出力部としてのスピーカ２５とを備えている。
【００２３】
筐体２１は、マウスピース２２が差し込まれる図示していない呼気注入口が形成されている面２１ａと、面２１ａに隣接してスイッチ２３、アルコール濃度表示部２４およびスピーカ２５が設けられる面２１ｂとを備えている略直方体である。
【００２４】
マウスピース２２は、筐体２１の呼気注入口に対して抜き差し可能に設けられており、測定者９０毎に交換されることができるようになっている。
【００２５】
スイッチ２３は、筐体２１の面２１ｂにおいて略中央に設けられている。
【００２６】
アルコール濃度表示部２４は、ＬＣＤ（Ｌｉｑｕｉｄ  Ｃｒｙｓｔａｌ  Ｄｉｓｐｌａｙ）などの表示デバイスである。アルコール濃度表示部２４は、筐体２１の面２１ｂにおいてスイッチ２３に対してマウスピース２２側に設けられている。
【００２７】
スピーカ２５は、筐体２１の面２１ｂにおいてスイッチ２３に対してマウスピース２２側とは反対側に設けられている。
【００２８】
図２は、アルコール測定器１０のブロック図である。
【００２９】
図２に示すように、アルコール測定器１０は、アルコール測定器１０全体を制御するためのＣＰＵ（Ｃｅｎｔｒａｌ  Ｐｒｏｃｅｓｓｉｎｇ  Ｕｎｉｔ）３１と、ＣＰＵ３１を動作させるためのプログラムや各種のデータを予め記憶しているＲＯＭ(Ｒｅａｄ  Ｏｎｌｙ  Ｍｅｍｏｒｙ)３２と、ＣＰＵ３１の作業領域として用いられるＲＡＭ(Ｒａｎｄｏｍ  Ａｃｃｅｓｓ  Ｍｅｍｏｒｙ)３３と、測定結果を記憶するための例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発メモリ３４と、マウスピース２２に吹き込まれた呼気中のアルコール濃度を測定するアルコールセンサ３５と、アルコールセンサ３５から出力された信号を増幅するアンプ３６と、アルコールセンサ３５にアルコール濃度を測定させるためにマウスピース２２に吹き込まれた呼気を吸引する吸引ポンプ３７と、マウスピース２２に吹き込まれた呼気の強さとして呼気圧を測定する本発明の呼気強さセンサとしての呼気圧センサ３８と、時間を計測する時計３９と、振幅および周波数が一定である基本信号をＡＭ（Ａｍｐｌｉｔｕｄｅ  Ｍｏｄｕｌａｔｉｏｎ）変調するＡＭ変調器４０と、基本信号をＦＭ（Ｆｒｅｑｕｅｎｃｙ  Ｍｏｄｕｌａｔｉｏｎ）変調するＦＭ変調器４１と、ＡＭ変調器４０の出力信号およびＦＭ変調器４１の出力信号を合成する合成器４２と、合成器４２の出力信号を増幅するアンプ４３と、上述したスイッチ２３、アルコール濃度表示部２４およびスピーカ２５とを備えている。
【００３０】
合成器４２は、ＡＭ変調器４０の出力信号およびＦＭ変調器４１の出力信号が入力されるとき、振幅がＡＭ変調器４０の出力信号の振幅と同一であり、周波数がＦＭ変調器４１の出力信号の周波数と同一である信号を出力するものである。
【００３１】
ＣＰＵ３１、ＲＯＭ３２、ＲＡＭ３３、不揮発メモリ３４、アルコールセンサ３５、アンプ３６、吸引ポンプ３７、呼気圧センサ３８、時計３９、ＡＭ変調器４０、ＦＭ変調器４１、合成器４２およびアンプ４３は、筐体２１の内部に設けられている。
【００３２】
図３は、呼気圧センサ３８によって測定された呼気圧と、基本信号が入力されたＡＭ変調器４０の出力信号の振幅との関係を示す図である。
【００３３】
図３に示すように、ＡＭ変調器４０は、有効範囲内における呼気圧に対する出力信号の振幅の変化を、有効範囲内の最小呼気圧と最大呼気圧との中央値を頂点（最大値）とした山型で表される変化にする。ここで、有効範囲は、アルコールセンサ３５によるアルコール濃度の測定を有効にする呼気圧の範囲である。有効範囲の両端は、アルコールセンサ３５によるアルコール濃度の測定を有効にする呼気圧の最小値である最小呼気圧と、アルコールセンサ３５によるアルコール濃度の測定を有効にする呼気圧の最大値である最大呼気圧とである。最小呼気圧および最大呼気圧が設定される理由は、ある程度の圧力の呼気でなければアルコールセンサ３５によるアルコール濃度の正確な測定ができないからである。最小呼気圧および最大呼気圧は、例えば米国運輸省がアルコール測定器に対して規定している最小呼気圧および最大呼気圧であっても良い。
【００３４】
ＡＭ変調器４０の出力信号の振幅は、呼気圧センサ３８によって測定された呼気圧が最小呼気圧より小さいときや、最大呼気圧より大きいとき、ゼロである。また、ＡＭ変調器４０の出力信号の振幅は、呼気圧センサ３８によって測定された呼気圧が最小呼気圧または最大呼気圧であるとき、ゼロより大きいＡ１であり、中央値であるとき、Ａ１より大きいＡ２である。また、ＡＭ変調器４０の出力信号の振幅は、呼気圧センサ３８によって測定された呼気圧が最小呼気圧から中央値までの範囲内であるとき、呼気圧の増加に伴って増加する。一方、ＡＭ変調器４０の出力信号の振幅は、呼気圧センサ３８によって測定された呼気圧が中央値から最大呼気圧までの範囲内であるとき、呼気圧の増加に伴って減少する。なお、Ａ１、Ａ２は、最終的にスピーカ２５から出力される音の大きさが人間の可聴領域内になる値であれば良い。
【００３５】
図４は、呼気圧センサ３８によって測定された呼気圧と、基本信号が入力されたＦＭ変調器４１の出力信号の周波数との関係を示す図である。
【００３６】
図４に示すように、ＦＭ変調器４１は、有効範囲内における呼気圧に対する出力信号の周波数の変化を、有効範囲の両端のうち一方である最小呼気圧において最小であり、他方である最大呼気圧において最大であり、最小呼気圧から最大呼気圧に向けて徐々に上がる変化にする。
【００３７】
ＦＭ変調器４１の出力信号の周波数は、呼気圧センサ３８によって測定された呼気圧が最小呼気圧より小さいとき、ゼロである。また、ＦＭ変調器４１の出力信号の周波数は、呼気圧センサ３８によって測定された呼気圧が最小呼気圧であるとき、１００Ｈｚであり、中央値であるとき、３ｋＨｚであり、最大呼気圧であるとき、１０ｋＨｚである。また、ＦＭ変調器４１の出力信号の周波数は、呼気圧センサ３８によって測定された呼気圧が最小呼気圧から最大呼気圧までの範囲内であるとき、呼気圧の増加に伴って増加する。ＦＭ変調器４１の出力信号の周波数は、呼気圧センサ３８によって測定された呼気圧が最大呼気圧より大きいとき、１０ｋＨｚである。なお、これらの周波数は、具体例に過ぎず、これらに限られるものではない。
【００３８】
図５は、アルコール測定器１０の動作のフローチャートである。
【００３９】
測定者９０は、呼気中のアルコール濃度の測定を行うことを希望するとき、アルコール測定器１０のスイッチ２３を押して、マウスピース２２に呼気を吹き込む。アルコール測定器１０のＣＰＵ３１は、測定者９０によってスイッチ２３が押されると、図５に示す処理を実行する。
【００４０】
図５に示すように、ＣＰＵ３１は、ＡＭ変調器４０およびＦＭ変調器４１に対する基本信号の出力を開始する（Ｓ５１）。
【００４１】
次いで、ＣＰＵ３１は、ＲＡＭ３３に記憶されている呼気量累計値をゼロにリセットする（Ｓ５２）。ここで、呼気量累計値とは、測定者９０によって吹き込まれた呼気量が、アルコールセンサ３５によるアルコール濃度の測定を有効にする呼気量（以下「有効呼気量」という。）に達したか否かをＣＰＵ３１が判断するための値である。呼気量累計値は、測定者９０によって吹き込まれた呼気の流速を時間で積分することによって求めることができる。呼気の流速は、アルコール測定器１０において呼気圧に比例するので、呼気圧から求めることができる。
【００４２】
次いで、ＣＰＵ３１は、測定者９０によって吹き込まれた呼気の圧力を呼気圧センサ３８によって測定する（Ｓ５３）。ここで、ＣＰＵ３１は、時計３９によって計測される時間に基づいて、一定の時間毎にＳ５３を実行するように図５に示す処理を制御している。この一定の時間を以下において呼気圧測定単位時間という。
【００４３】
次いで、ＣＰＵ３１は、Ｓ５３において測定した呼気圧が有効範囲内であるか否かを判断する（Ｓ５４）。呼気圧は、最小呼気圧以上であって、最大呼気圧以下であるとき、有効範囲内である。一方、呼気圧は、最小呼気圧より小さいときや、最大呼気圧より大きいとき、有効範囲外である。
【００４４】
ＣＰＵ３１は、呼気圧が有効範囲外であるとＳ５４において判断すると、再びＳ５２の処理に戻る。
【００４５】
一方、ＣＰＵ３１は、呼気圧が有効範囲内であるとＳ５４において判断すると、Ｓ５３において測定した呼気圧に対応する呼気の流速と、呼気圧測定単位時間との積を、ＲＡＭ３３に記憶されている呼気量累計値に加えることによって、ＲＡＭ３３に記憶されている呼気量累計値を更新する（Ｓ５５）。
【００４６】
次いで、ＣＰＵ３１は、ＲＡＭ３３に記憶されている呼気量累計値が有効呼気量に達したか否かを判断する（Ｓ５６）。ここで、Ｓ５６において有効呼気量が設定されている理由は、測定者９０によってマウスピース２２に吹き込まれた空気の体積が少ないときにアルコール濃度を測定してしまうと測定者９０の口に入ったばかりの新鮮な空気のアルコール濃度を測定してしまうおそれがあり、呼気、すなわち肺に入っていた空気のアルコール濃度を測定するためにある程度の体積の空気が吹き込まれる必要があるからである。有効呼気量は、例えば１Ｌなどの量が設定されている。
【００４７】
ＣＰＵ３１は、呼気量累計値が有効呼気量に達していないとＳ５６において判断すると、再びＳ５３の処理を実行する。
【００４８】
一方、ＣＰＵ３１は、呼気量累計値が有効呼気量に達したとＳ５６において判断すると、ＡＭ変調器４０およびＦＭ変調器４１に対する基本信号の出力を終了させ（Ｓ５７）、吸引ポンプ３７を駆動してアルコールセンサ３５にアルコール濃度の測定を実行させる（Ｓ５８）。
【００４９】
次いで、ＣＰＵ３１は、Ｓ５８において測定されたアルコール濃度をアルコール濃度表示部２４に表示させて（Ｓ５９）、図５に示す処理を終了する。なお、ＣＰＵ３１は、Ｓ５９において表示させたアルコール濃度を所定の時間の経過によって消すようになっている。
【００５０】
図６は、測定者９０によってマウスピース２２に吹き込まれた呼気の圧力の例を示す図である。図７は、図６に示す例に応じたＡＭ変調器４０、ＦＭ変調器４１および合成器４２の出力信号を示す図である。
【００５１】
測定者９０がスイッチ２３を押すとＣＰＵ３１が上述したように図５に示す処理を実行するので、測定者９０がマウスピース２２に図６に示すように呼気を吹き込むと、ＡＭ変調器４０、ＦＭ変調器４１および合成器４２の出力信号は、図７に示すようになる。ここで、スピーカ２５によって出力される音は、合成器４２の出力信号と同様である。したがって、スピーカ２５は、時間０から時間ｔ１まで音を出さず、時間ｔ１から時間ｔ２まで音量および音の周波数を徐々に上げ、時間ｔ２から時間ｔ３まで音量を徐々に下げつつ音の周波数を徐々に上げ、時間ｔ３から時間ｔ４まで音を出さず、時間ｔ４から時間ｔ５まで音量を徐々に上げつつ音の周波数を徐々に下げ、時間ｔ５から時間ｔ６まで音量および音の周波数を徐々に下げ、時間ｔ６から時間ｔ７まで音を出さず、時間ｔ７から音量および音の周波数を徐々に上げる。
【００５２】
以上に説明したように、アルコール測定器１０は、有効範囲内の呼気圧の変化を音の変化によって出力するので、呼気を吹き込んでいる最中の測定者９０に呼気圧を認識させることができる。
【００５３】
また、アルコール測定器１０は、有効範囲内における呼気圧に対する音量の変化を、有効範囲内の中央値における音量を最大値とした山型で表される変化にしているので、有効範囲内の中央値を音量によって測定者９０に容易に認識させることができる。したがって、アルコール測定器１０は、音量が最大値になるように測定者９０に呼気圧を調整させることによって、測定者９０に呼気圧を有効範囲内に容易に維持させることができる。
【００５４】
また、アルコール測定器１０は、有効範囲内における呼気圧に対する音の周波数の変化を、最小呼気圧において最小であり、最大呼気圧において最大であり、最小呼気圧から最大呼気圧に向けて徐々に上がる変化にしているので、有効範囲内の中央値より現在の呼気圧が大きいか小さいかを音量と音の周波数との組み合わせによって測定者９０に容易に認識させることができる。したがって、アルコール測定器１０は、音量が最大値になるように測定者９０に呼気圧を容易に調整させることができる。
【００５５】
また、アルコール測定器１０は、有効範囲外において音を消しているので、呼気圧が有効範囲内であるか否かを測定者９０に容易に認識させることができる。
【００５６】
なお、アルコール測定器１０は、有効範囲より呼気圧が弱い有効範囲外において音を消し、有効範囲より呼気圧が強い有効範囲外において音を出力するようになっていても良い。例えば、呼気圧センサ３８によって測定された呼気圧と、基本信号が入力されたＡＭ変調器４０の出力信号の振幅との関係が図８に示す関係であるとき、アルコール測定器１０は、図９に示すように、有効範囲より呼気圧が弱い有効範囲外、すなわち、時間０から時間ｔ１までと、時間ｔ６から時間ｔ７までとにおいて音を消し、有効範囲より呼気圧が強い有効範囲外、すなわち、時間ｔ３から時間ｔ４において音を出力する。アルコール測定器１０は、呼気圧が有効範囲より強い有効範囲外にあるときに音を消さずに出力するとき、呼気を吹き込んでいる最中の測定者９０にアルコール測定器１０自身が故障していると誤解されることを防止することができる。
【００５７】
アルコール測定器１０は、有効範囲より呼気圧が強い有効範囲外において音を出力するようになっているとき、有効範囲より呼気圧が強い有効範囲外において出力する音の周波数が、例えば１５ｋＨｚのように、有効範囲内の音の周波数と異なるようにＦＭ変調器４１が設定されていても良い。これによって、測定者９０は、有効範囲より呼気圧が強い有効範囲外に呼気圧があることを容易に認識することができる。
【００５８】
アルコール測定器１０は、有効範囲より呼気圧が弱い有効範囲外においても、音を出力するようになっていても良い。
【００５９】
なお、アルコール測定器１０は、有効範囲内における呼気圧に対する音量の変化を、有効範囲内の中央値における音量を頂点（最大値）とした山型で表される変化にしているが、有効範囲内の中央値における音量を頂点（最小値）とした谷型で表される変化にしていても良い。
【００６０】
また、アルコール測定器１０は、有効範囲内における呼気圧に対する音量の変化の頂点に対応する呼気圧として中央値が設定されているが、中央値に限らず、任意の呼気圧が設定されることが可能である。
【００６１】
また、アルコール測定器１０は、有効範囲内における呼気圧に対する音の周波数の変化を、最小呼気圧において最小であり、最大呼気圧において最大であり、最小呼気圧から最大呼気圧に向けて徐々に上がる変化にしているが、最大呼気圧において最小であり、最小呼気圧において最大であり、最大呼気圧から最小呼気圧に向けて徐々に上がる変化にしていても良い。
【００６２】
また、アルコール測定器１０は、音量と、音の周波数とを組み合わせることによって、音量が最大値になるように測定者９０に呼気圧を容易に調整させることができるが、音量の変化のみで音量が最大値になるように測定者９０に呼気圧を調整させるようになっていても良い。
【００６３】
また、アルコール測定器１０は、有効範囲内における呼気圧に対する音量の変化を、有効範囲内の中央値における音量を頂点（最大値）とした山型で表される変化にしているが、有効範囲内における呼気圧に対する音の周波数の変化を、有効範囲内の中央値における周波数を頂点とした山型および谷型の一方で表される変化にしていても良い。この場合、アルコール測定器１０は、有効範囲内における呼気圧に対する音量の変化を、最小呼気圧において最小であり、最大呼気圧において最大であり、最小呼気圧から最大呼気圧に向けて徐々に上がる変化にしたり、最大呼気圧において最小であり、最小呼気圧において最大であり、最大呼気圧から最小呼気圧に向けて徐々に上がる変化にしたりしても良い。
【００６４】
また、アルコール測定器１０は、以上に説明した音の変化方法以外の方法によっても、有効範囲内の呼気圧の変化を表現することができれば、任意の方法を採用することができる。例えば、アルコール測定器１０は、有効範囲内の呼気圧の変化を音色の変化によって出力するようになっていても良い。
【００６５】
なお、本実施の形態においては、呼気の強さとして呼気圧を使用しているが、呼気の強さとして呼気の流速を使用しても良い。また、本発明の呼気強さセンサとしては、流速センサが使用されても良い。
【００６６】
また、本実施の形態においては、筐体２１に対して抜き差し可能に設けられたマウスピース２２を本発明の呼気吹込部として備えているが、筐体２１に対して抜き差し不可能に設けられて測定者９０に咥えられて呼気が吹き込まれる呼気吹込部を備えていても良いし、測定者９０に咥えられることなく呼気が吹きかけられることによって吹き込まれる呼気吹込部を備えていても良い。
【００６７】
また、アルコール測定器１０は、本実施の形態において、測定時に測定者９０によって手９１で持たれるようになっているが、据置型など、他の形態であっても良い。
【符号の説明】
【００６８】
１０  アルコール測定器
２２  マウスピース（呼気吹込部）
２５  スピーカ（呼気強さ出力部）
３５  アルコールセンサ
３８  呼気圧センサ（呼気強さセンサ）
９０  測定者
【要約】
【課題】  呼気を吹き込んでいる最中の測定者に呼気の強さを認識させることができるアルコール測定器を提供する。
【解決手段】  アルコール測定器１０は、測定者の呼気が吹き込まれるマウスピースと、マウスピースに吹き込まれた呼気中のアルコール濃度を測定するアルコールセンサ３５と、マウスピースに吹き込まれた呼気の圧力を測定する呼気圧センサ３８と、呼気圧センサ３８によって測定された圧力を音の変化によって出力するスピーカ２５とを備えており、スピーカ２５は、アルコールセンサ３５によるアルコール濃度の測定を有効にする呼気圧の範囲である有効範囲内の圧力の変化を音の変化によって出力し、スピーカ２５は、有効範囲内における呼気の強さに対する音量の変化を、有効範囲内の所定の呼気の強さにおける音量を頂点とした山型および谷型の一方で表される変化にすることを特徴とする。
【選択図】  図２【図１】
0004627570.tif 000002
【図２】
0004627570.tif 000003
【図３】
0004627570.tif 000004
【図４】
0004627570.tif 000005
【図５】
0004627570.tif 000006
【図６】
0004627570.tif 000007
【図７】
0004627570.tif 000008
【図８】
0004627570.tif 000009
【図９】
0004627570.tif 000010